(57)【要約】【課題】  本発明は、バックアップ専用の大容量メモリを用意することなく、各記録装置の記録状況を考慮したバックアップ保存が可能な記録装置およびバックアップ方法を提供する。【解決手段】  バックアップ元の録画再生機器１は、ユーザにより、ＨＤＤに録画された放送番組のバックアップが指示されると、ＬＡＮ２０に接続された他の録画再生機器２，３，４から各何増ＨＤＤの実質的な空き容量を取得する。次に、この取得した各実質的な空き容量に基づき、バックアップ可能な機器を抽出し、予約時間（またはバックアップ可能時間）を取得する。そして、自己の録画予約時間と各機器から取得した時間情報から、バックアップ実行時間とバックアップ先となる録画再生機器を決定し、バックアップ先に決定した録画再生機器に対して、バックアップ実行時間を通知して、バックアップ録画予約を登録する。【選択図】  図１５
2006085622.tif 000002
【特許請求の範囲】
【請求項１】
映像あるいは音声に関する情報が記録された第１の記録部を有する他の記録装置と有線または無線でネットワーク接続された記録装置において、
映像あるいは音声に関する情報が記録されている第２の記録部と、
この第２の記録部に記録された情報の少なくとも一部のバックアップ保存が指示されると、上記他の記録装置から上記第１の記録部の空き容量と、上記他の記録装置の記録動作可能または不可能な時間情報とを取得する取得手段と、
この取得された空き容量及び時間情報に基づいて、上記指示された上記第２の記録部の情報をバックアップする記録装置及びその実行時間を決定する決定手段と、
この決定手段で決定された記録装置に対して上記決定された実行時間情報を通知する通知手段と、
上記決定手段で決定された実行時間に、上記決定手段で決定された記録装置に対して、上記第２の記録部に保持したまま、上記指示された上記第２の記録部の少なくとも一部の情報を送信する送信手段と、
を有することを特徴とする記録装置。
【請求項２】
上記取得手段は、上記第１の記録部の空き容量から、上記他の記録装置に設定されている録画予約の使用予定量を差し引いた実質的な空き容量を取得するものであることを特徴とする請求項１記載の記録装置。
【請求項３】
上記取得手段は、上記第１の記録部の空き容量から、上記他の記録装置に設定されている録画予約の使用予定量と、予め設定された規定容量とを差し引いた実質的な空き容量を取得するものであることを特徴とする請求項１記載の記録装置。
【請求項４】
上記決定手段は、上記取得した動作可能又は不可能な時間情報と、当該記録装置におけるバックアップ動作の可能又は不可能な時間とに基づいて、上記他の記録装置及び当該記録装置の双方がバックアップ保存動作可能な直近の時間帯をバックアップ保存の実行時間として決定するものであることを特徴とする請求項１乃至請求項３のいずれか記載の記録装置。
【請求項５】
情報が記録された第１の記録部を有する第１の記録装置と、情報が記録された第２の記録部を有する第２の記録装置に、有線または無線でネットワーク接続された記録装置において、
映像あるいは音声に関する第１の情報と、上記第１の記録部に記録された情報のバックアップに相当する第２の情報とが記録された第３の記録部と、
この第３の記録部における空き容量が予め設定された規定値より少ないかを判定する判定手段と、
この判定手段により空き容量が規定値以下と判定されると、上記第１の記録装置以外に接続された上記第２の記録装置から上記第２の記録部の空き容量を取得する取得手段と、
この取得手段にて取得された空き容量に基づいて、上記第３の記録部に記録された第２の情報をバックアップする記録装置を決定するバックアップ先決定手段と、
このバックアップ先決定手段によって決定された記録装置に対して上記第３の記録部に記録された第２の情報の少なくとも一部を送信する送信手段と、
を有することを特徴とする記録装置。
【請求項６】
情報が記録された第１の記録部を有する第１の記録装置及び情報が記録された第２の記録部を有する第２の記録装置と有線または無線でネットワーク接続された記録装置において、
当該記録装置にてユーザが視聴可能な映像あるいは音声に関する第１の情報と、上記第１の記憶部に記録された情報のバックアップに相当し、当該記録装置にてユーザが視聴できない状態の第２の情報とが記録された第３の記録部と、
この第３の記録部における空き容量が予め設定された規定値より少ないかを判定する判定手段と、
この判定手段により空き容量が規定値以下と判定されると、上記第１の記録装置以外に接続された上記第２の記録装置から上記第２の記録部の空き容量と、上記第２の記録装置の記録動作可能または不可能な時間情報とを取得する取得手段と、
この取得手段にて取得された空き容量及び時間情報に基づいて、上記第３の記録部に記録された第２の情報をバックアップする記録装置及びその実行時間を決定する決定手段と、
この決定手段で決定された記録装置に対して上記決定された実行時間情報を通知する通知手段と、
上記決定手段で決定された実行時間に、上記決定手段で決定された記録装置に対して、上記第３の記録部に記録された第２の情報の少なくとも一部を送信する送信手段と、
を有することを特徴とする記録装置。
【請求項７】
上記取得手段は、上記第２の記録部の空き容量から、上記第２の記録装置に設定されている録画予約の使用予定量を差し引いた実質的な空き容量を取得するものであることを特徴とする請求項５または請求項６のいずれか記載の記録装置。
【請求項８】
上記取得手段は、上記第２の記録部の空き容量から、上記第２の記録装置に設定されている録画予約の使用予定量と、予め設定された規定容量とを差し引いた実質的な空き容量を取得するものであることを特徴とする請求項５または請求項６のいずれか記載の記録装置。
【請求項９】
上記決定手段は、上記取得した動作可能又は不可能な時間情報と、当該記録装置におけるバックアップ動作の可能又は不可能な時間とに基づいて、双方ともバックアップ保存動作が可能な直近の時間帯をバックアップ保存の実行時間と決定するものであることを特徴とする請求項５乃至請求項８のいずれか記載の記録装置。
【請求項１０】
上記決定手段によりバックアップ保存可能な記録装置が存在しないと判断されると、上記第１の記録装置に対してバックアップ情報を消去する旨の情報を通知する消去通知手段を有することを特徴とする請求項５乃至請求項９のいずれか記載の記録装置。
【請求項１１】
映像あるいは音声に関する情報が記録された第１の記録部を有する第１の記録装置と有線または無線でネットワーク接続された第２の記録部を有する記録装置において、
上記第１の記録装置に記録された情報の復元が指示されると、上記第２の記録部にて上記第１の記録部に記録された情報の少なくとも一部が当該記録装置においてユーザが視聴できない状態で保存されているかを判定する判定手段と、
この判定手段により保存されていると判定されると、上記第２の記録部にてユーザが視聴できない状態で保存されている上記第１の記録部に記録された情報の少なくとも一部をユーザに視聴可能な状態に変更する変更手段と、
を有することを特徴とする記録装置。
【請求項１２】
情報が記録された第１の記録部を有する第１の記録装置と、情報が記録された第２の記録部を有する第２の記録装置に有線または無線でネットワーク接続されており、映像あるいは音声に関する情報が記録された第３の記録部を有する記録装置において、
上記第１の記録装置に記録された情報の復元が指示されると、上記第３の記録部にて上記第１の記録部に記録された情報の少なくとも一部が当該記録装置においてユーザが視聴できない状態で保存されているかを判定する判定手段と、
この判定手段により保存していると判定されると、上記第３の記録部にてユーザが視聴できない状態で保存されている上記第１の記録部に記録された情報の少なくとも一部をユーザに視聴可能な状態に変更する変更手段と、
上記第１の記録装置に記録された情報の復元が指示されると、上記第２の記録部にて、当該記録装置でユーザが視聴できない状態で保存されている上記第１の記録部に記録された情報の少なくとも一部を、上記第２の記録装置から取得する取得手段と、
この取得手段により取得された上記第１の記録部に記録された情報の少なくとも一部をユーザに視聴可能な状態に記録する記録手段と、
を有することを特徴とする記録装置。
【請求項１３】
映像あるいは音声に関する情報が記録された第１の記録部を有する他の記録装置と有線または無線でネットワーク接続され、映像あるいは音声に関する情報が記録された第２の記録部を有する記録装置におけるバックアップ方法において、
上記第２の記録部に記録された情報の少なくとも一部のバックアップ保存が指示されると、上記他の記録装置から上記第１の記録部の空き容量と、上記他の記録装置の記録動作可能または不可能な時間情報とを取得するステップと、
この取得された空き容量及び時間情報に基づいて、上記指示された上記第２の記録部の情報をバックアップする記録装置及びその実行時間を決定するステップと、
この決定された記録装置に対して上記決定された実行時間情報を通知するステップと、
上記決定された実行時間に、上記決定された記録装置に対して、上記第２の記録部に保持したまま、上記指示された上記第２の記録部の少なくとも一部の情報を送信するステップと、
を有することを特徴とするバックアップ方法。
【請求項１４】
情報が記録された第１の記録部を有する第１の記録装置及び情報が記録された第２の記録部を有する第２の記録装置と有線または無線でネットワーク接続されており、映像あるいは音声に関する第１の情報と上記第１の記録部に記録された情報のバックアップに相当する第２の情報とが記録された第３の記録部を有する第３の記録装置におけるバックアップ方法において、
この第３の記憶部における空き容量が予め設定された規定値より少ないかを判定するステップと、
この判定ステップにより空き容量が規定値以下と判定されると、上記第１の記録装置以外に接続された上記第２の記録装置から上記第２の記録部の空き容量を取得するステップと、
この取得された空き容量に基づいて、上記第３の記憶部に記憶された第２の情報をバックアップする記録装置を決定するステップと、
この決定された記録装置に対して上記第３の記憶部に記憶された第２の情報の少なくとも一部を送信するステップと、
を有することを特徴とするバックアップ方法。
【請求項１５】
映像あるいは音声に関する情報が記録された第１の記録部を有する第１の記録装置と有線または無線でネットワーク接続された第２の記録部を有する第２の記録装置におけるバックアップ方法において、
上記第１の記録装置に記録された情報の復元が指示されると、上記第２の記録部にて上記第１の記録部に記録された情報の少なくとも一部が当該第２の記録装置においてユーザが視聴できない状態で保存しているかを判定するステップと、
この判定ステップにより保存していると判定されると、上記第２の記録部にてユーザが視聴できない状態で保存されている上記第１の記録部に記録された情報の少なくとも一部をユーザに視聴可能な状態に変更するステップと、
を有することを特徴とするバックアップ方法。
【請求項１６】
情報が記録された第１の記録部を有する第１の記録装置と、情報が記録された第２の記録部を有する第２の記録装置に有線または無線でネットワーク接続されており、映像あるいは音声に関する情報が記録された第３の記録部を有する第３の記録装置におけるバックアップ方法において、
上記第１の記録装置に記録された情報の復元が指示されると、上記第３の記録部にて上記第１の記録部に記録された情報の少なくとも一部が当該記録装置においてユーザが視聴できない状態で保存しているかを判定するステップと、
この判定ステップにより保存していると判定されると、上記第３の記録部にてユーザが視聴できない状態で保存されている上記第１の記録部に記録された情報の少なくとも一部をユーザに視聴可能な状態に変更するステップと、
上記第１の記録装置に記録された情報の復元が指示されると、上記第２の記憶部にて、上記第３の記録装置でユーザが視聴できない状態で保存されている上記第１の記録部に記録された情報の少なくとも一部を、上記第２の記録装置から取得するステップと、
この取得した上記第１の記録部に記録された情報の少なくとも一部をユーザに視聴可能な状態に記録するステップと、
を有することを特徴とするバックアップ方法。
【発明の詳細な説明】
【技術分野】
【０００１】
本発明は、相互にネットワーク接続された複数台の記録装置に夫々記録されている情報を、相互にバックアップ保存し、またバックアップされた情報を復元する記録装置およびバックアップ方法に関する。
【背景技術】
【０００２】
近年、ネットワークシステムを構築する複数台のデータ処理装置において、各データ処理装置に記録されたデータを、バックアップ専用の大容量メモリを用意することなくバックアップ保存するシステムが考えられている。例えば、このようなシステムとして、ネットワーク接続された複数台のデータ処理装置からなるシステムにおいて、いずれかのデータ処理装置からバックアップ処理の実行が指示されると、各データ処理装置のメモリの残容量／使用量に基づいて、バックアップ先を決定し、データのバックアップを行うシステムが考えられている（例えば、特許文献１参照）。
【特許文献１】特開平１０−１２４３６４号公報
【発明の開示】
【発明が解決しようとする課題】
【０００３】
しかしながら、従来の装置では、バックアップ元を決定する指標となるメモリの残容量／使用量は、ホストとなるデータ処理装置に対して通知する際の単純な空き容量／使用容量であり、バックアップ先での録画予約等の今後の記録状況やメモリ使用傾向を全く考慮しておらず、バックアップしたことによりバックアップ先となったデータ処理装置のメモリの使用量が圧迫され、今後の記録が制限されてしまう可能性がある。また、バックアップ元のデータ処理装置のメモリがクラッシュした場合のバックアップデータの復元方法についても何ら考慮されていない。
【０００４】
本発明は、以上の点に鑑みなされたもので、バックアップ専用の大容量メモリを用意することなく、各記録装置の記録状況を考慮したバックアップ保存が可能な記録装置およびバックアップ方法を提供することを目的とする。
【課題を解決するための手段】
【０００５】
上記目的を達成するために、本発明の記録装置は、映像あるいは音声に関する情報が記録された第１の記録部を有する他の記録装置と有線または無線でネットワーク接続された記録装置において、映像あるいは音声に関する情報が記録されている第２の記録部と、この第２の記録部に記録された情報の少なくとも一部のバックアップ保存が指示されると、上記他の記録装置から上記第１の記録部の空き容量と、上記他の記録装置の記録動作可能または不可能な時間情報とを取得する取得手段と、この取得された空き容量及び時間情報に基づいて、上記指示された上記第２の記録部の情報をバックアップする記録装置及びその実行時間を決定する決定手段と、この決定手段で決定された記録装置に対して上記決定された実行時間情報を通知する通知手段と、上記決定手段で決定された実行時間に、上記決定手段で決定された記録装置に対して、上記第２の記録部に保持したまま、上記指示された上記第２の記録部の少なくとも一部の情報を送信する送信手段と、を有することを特徴とする。
【０００６】
上記目的を達成するために、本発明の記録装置は、情報が記録された第１の記録部を有する第１の記録装置と、情報が記録された第２の記録部を有する第２の記録装置に、有線または無線でネットワーク接続された記録装置において、映像あるいは音声に関する第１の情報と、上記第１の記録部に記録された情報のバックアップに相当する第２の情報とが記録された第３の記録部と、この第３の記録部における空き容量が予め設定された規定値より少ないかを判定する判定手段と、この判定手段により空き容量が規定値以下と判定されると、上記第１の記録装置以外に接続された上記第２の記録装置から上記第２の記録部の空き容量を取得する取得手段と、この取得手段にて取得された空き容量に基づいて、上記第３の記録部に記録された第２の情報をバックアップする記録装置を決定するバックアップ先決定手段と、このバックアップ先決定手段によって決定された記録装置に対して上記第３の記録部に記録された第２の情報の少なくとも一部を送信する送信手段と、を有することを特徴とする。
【０００７】
上記目的を達成するために、本発明の記録装置は、情報が記録された第１の記録部を有する第１の記録装置及び情報が記録された第２の記録部を有する第２の記録装置と有線または無線でネットワーク接続された記録装置において、当該記録装置にてユーザが視聴可能な映像あるいは音声に関する第１の情報と、上記第１の記憶部に記録された情報のバックアップに相当し、当該記録装置にてユーザが視聴できない状態の第２の情報とが記録された第３の記録部と、この第３の記録部における空き容量が予め設定された規定値より少ないかを判定する判定手段と、この判定手段により空き容量が規定値以下と判定されると、上記第１の記録装置以外に接続された上記第２の記録装置から上記第２の記録部の空き容量と、上記第２の記録装置の記録動作可能または不可能な時間情報とを取得する取得手段と、この取得手段にて取得された空き容量及び時間情報に基づいて、上記第３の記録部に記録された第２の情報をバックアップする記録装置及びその実行時間を決定する決定手段と、この決定手段で決定された記録装置に対して上記決定された実行時間情報を通知する通知手段と、上記決定手段で決定された実行時間に、上記決定手段で決定された記録装置に対して、上記第３の記録部に記録された第２の情報の少なくとも一部を送信する送信手段と、を有することを特徴とする。
【０００８】
上記目的を達成するために、本発明の記録装置は、映像あるいは音声に関する情報が記録された第１の記録部を有する第１の記録装置と有線または無線でネットワーク接続された第２の記録部を有する記録装置において、上記第１の記録装置に記録された情報の復元が指示されると、上記第２の記録部にて上記第１の記録部に記録された情報の少なくとも一部が当該記録装置においてユーザが視聴できない状態で保存されているかを判定する判定手段と、この判定手段により保存されていると判定されると、上記第２の記録部にてユーザが視聴できない状態で保存されている上記第１の記録部に記録された情報の少なくとも一部をユーザに視聴可能な状態に変更する変更手段と、を有することを特徴とする。
【０００９】
上記目的を達成するために、本発明のバックアップ方法は、映像あるいは音声に関する情報が記録された第１の記録部を有する他の記録装置と有線または無線でネットワーク接続され、映像あるいは音声に関する情報が記録された第２の記録部を有する記録装置におけるバックアップ方法において、上記第２の記録部に記録された情報の少なくとも一部のバックアップ保存が指示されると、上記他の記録装置から上記第１の記録部の空き容量と、上記他の記録装置の記録動作可能または不可能な時間情報とを取得するステップと、この取得された空き容量及び時間情報に基づいて、上記指示された上記第２の記録部の情報をバックアップする記録装置及びその実行時間を決定するステップと、この決定された記録装置に対して上記決定された実行時間情報を通知するステップと、上記決定された実行時間に、上記決定された記録装置に対して、上記第２の記録部に保持したまま、上記指示された上記第２の記録部の少なくとも一部の情報を送信するステップと、を有することを特徴とする。
【００１０】
上記目的を達成するために、本発明のバックアップ方法は、情報が記録された第１の記録部を有する第１の記録装置及び情報が記録された第２の記録部を有する第２の記録装置と有線または無線でネットワーク接続されており、映像あるいは音声に関する第１の情報と上記第１の記録部に記録された情報のバックアップに相当する第２の情報とが記録された第３の記録部を有する第３の記録装置におけるバックアップ方法において、この第３の記憶部における空き容量が予め設定された規定値より少ないかを判定するステップと、この判定ステップにより空き容量が規定値以下と判定されると、上記第１の記録装置以外に接続された上記第２の記録装置から上記第２の記録部の空き容量を取得するステップと、この取得された空き容量に基づいて、上記第３の記憶部に記憶された第２の情報をバックアップする記録装置を決定するステップと、この決定された記録装置に対して上記第３の記憶部に記憶された第２の情報の少なくとも一部を送信するステップと、を有することを特徴とする。
【００１１】
上記目的を達成するために、本発明のバックアップ方法は、映像あるいは音声に関する情報が記録された第１の記録部を有する第１の記録装置と有線または無線でネットワーク接続された第２の記録部を有する第２の記録装置におけるバックアップ方法において、上記第１の記録装置に記録された情報の復元が指示されると、上記第２の記録部にて上記第１の記録部に記録された情報の少なくとも一部が当該第２の記録装置においてユーザが視聴できない状態で保存しているかを判定するステップと、この判定ステップにより保存していると判定されると、上記第２の記録部にてユーザが視聴できない状態で保存されている上記第１の記録部に記録された情報の少なくとも一部をユーザに視聴可能な状態に変更するステップと、を有することを特徴とする。
【発明の効果】
【００１２】
本発明によれば、バックアップ専用の大容量メモリを用意することなく、各記録装置の録画状況を考慮したバックアップ保存することができる。
【発明を実施するための最良の形態】
【００１３】
以下、この発明の実施の形態について、図面を参照して詳細に説明する。図１は、この実施の形態に係る記録装置としての録画再生機器１〜４で構成された録画再生システムの全体構成の一例を示すブロック図である。
【００１４】
図１に示すように、録画再生システムは、複数の部屋Ａ〜Ｄの夫々に、記録部としてＨＤＤ（Ｈａｒｄ  Ｄｉｓｃ  Ｄｒｉｖｅ）を内蔵した録画再生機器１〜４が個別に設けられ、これら録画再生機器１〜４が家庭内ＬＡＮ２０を介して接続され、相互にバックアップ可能に構成されている。
【００１５】
図２は、録画再生機器１（２、３、４）の主要構成の一実施の形態を示すブロック図である。録画再生機器１（２，３，４）は、チューナ１１と、映像・音声符号化部１２と、ハードディスク部（以下、ＨＤＤと称す）１３と、映像・音声復号部１４と、ＣＰＵ（Ｃｅｎｔｒａｌ  Ｐｒｏｃｅｓｓｉｎｇ  Ｕｎｉｔ）１５、ＲＯＭ（Ｒｅａｄ  Ｏｎｌｙ  Ｍｅｍｏｒｙ）１６、ＲＡＭ（Ｒａｎｄｏｍ  Ａｃｃｅｓｓ  Ｍｅｍｏｒｙ）１７、リモコン送受信部１８および通信処理部１９等を有しており、夫々制御バスを介して接続されている。
【００１６】
録画再生機器１（２，３，４）は、外部からチューナ１１を介して映像信号や音声信号を受信し、映像・音声符号化部１２へと供給する。映像・音声符号化部１２では、供給された映像・音声信号を符号化してＨＤＤ１３へと供給し、ＨＤＤ１３にて記録する。
【００１７】
録画再生機器１（２，３，４）は、映像・音声復号部１４により、ＨＤＤ１３に記録された映像や音声に関する情報を読み出して復号化し、復号化された映像及び音声信号を、後段に接続されたＣＲＴ等の表示部２１やスピーカ部２２へと提供して再生する。また、録画再生機器１（２，３，４）は、通信処理部１９及び家庭内ＬＡＮ２０を介して、内蔵するＨＤＤ１３に記録された映像信号や音声信号を他の録画再生機器と相互に送受信することができる。
【００１８】
ＣＰＵ１５は、録画再生機器全体の処理動作を制御するものである。ＲＯＭ１６は、ＣＰＵ１５によって実行されるプログラム等を格納している。ＲＡＭ１７は、ＣＰＵ１５が処理を行う際に作業用に利用する記憶部である。リモコン送受信部１８は、ユーザによって操作されるリモートコントローラ２３から送信される指示情報を受信して、制御バスを介してＣＰＵ１５へと通知する。
【００１９】
このような構成により、本実施例の録画再生機器１（２，３，４）は、後述する方法により、システム全体を一括管理するためのサーバ機能を有することなく、又バックアップ専用に設けられた大容量記憶部を有することなく、各録画再生機器間において、相互に記録内容のバックアップ保存を行うことができる。
【００２０】
このバックアップ保存機能に伴って、各録画再生機器１，２，３，４は、内蔵ＨＤＤ１３の一部をバックアップ保存に使用することが通常録画に影響を及ぼさないように、予めバックアップ保存に使用されない記録容量（以下、規定値という）が設定されている。この規定値は、予め初期値が決められており、ユーザによって、図３に示す方法にて、任意の数値に変更することができる。
【００２１】
図３は、各録画再生機器１〜４に内蔵されたＨＤＤ１３における、メモリの規定値を設定（変更）する処理を示すフローチャート図である。図３に示すように、例えば録画再生機器３のＣＰＵ１５は、リモコン送受信部１８を介してユーザがリモートコントローラ２３等にてＨＤＤの規定値設定メニューを選択したことを検出すると（ステップＳＴ１）、表示部２１にユーザが規定値を入力するための入力画面を表示して、ユーザに対して数値の入力を促す（ステップＳＴ２）。このＳＴ２の入力画面に任意の数値（例えば「３０」）が入力されると、ＣＰＵ１５は、入力された数値「３０」を規定値として登録する（ステップＳＴ３）。
【００２２】
本実施例では、録画再生機器１、４では初期値１０ＧＢ（ＧＩＧＡ  ＢＹＴＥ）が設定されており、録画再生機器２ではユーザにより規定値２０ＧＢが設定されており、録画再生機器３ではユーザにより規定値２０ＧＢが設定されていることとする。このように、予めバックアップ保存に使用されない記録容量を規定値として、ユーザの使用状況に応じて任意に設定することができるため、バックアップ録画による通常記録への影響度を低く抑えることができるばかりでなく、後述するバックアップタイトルの移動処理の実行回数を低く抑え、システムの安定性を高く保つこととなる。
【００２３】
次に、図４乃至図１２を用いて、録画再生システムにおける録画再生機器間の記録情報のバックアップ設定に関する処理について説明する。図４は、録画再生システム全体の処理を示すフローチャート図である。
【００２４】
図４に示すように、ユーザにより、内蔵ＨＤＤに録画された放送番組（以下、タイトルと称す）のバックアップ指示情報が入力されると（ステップＳＴ１１）、入力指示された録画再生機器は、バックアップ元として、家庭内ＬＡＮ２０に接続されている他の全ての録画再生機器と通信を行い、各録画再生機器に関する基本情報（例えば、識別情報やＨＤＤ残容量等）からなるプロファイル情報を取得する（ステップＳＴ１２）。
【００２５】
バックアップ元の録画再生機器は、取得したプロファイル情報に基づいて、必要に応じて更なる通信を実行し、バックアップ先となる録画再生機器およびバックアップ実行時間を決定し（ステップＳＴ１３）、バックアップ先の録画再生機器に対して、バックアップ実行時間を通知する。この通知を受けて、バックアップ先の録画再生機器において、バックアップ実行時間が設定され、バックアップ設定処理が終了する（ステップＳＴ１４）。
【００２６】
次に、図５及び図６は、バックアップ元となる録画再生機器におけるバックアップ設定に関する処理を示すフローチャート図である。
【００２７】
本実施例では、例えば、図７に示す録画タイトル一覧画面にて、マーク「Ｂ」３０は、図４に示すバックアップ設定処理が施されたことを示すバックアップ設定マークである。これにより、ユーザが、バックアップ設定された（バックアップ保存されているであろう）タイトル情報を認識することが可能となる。
【００２８】
ユーザが、図７に示す録画タイトル一覧画面から、リモートコントローラ２２を用いて、バックアップ設定マーク「Ｂ」３０が付されていない「タイトル１」のタイトル情報を選択し、バックアップ設定の指示情報を入力したとする。すると、図５に示すように、ユーザからのバックアップ設定の指示情報を受信した録画再生機器のＣＰＵ１５は（ステップＳＴ２１）、バックアップ元として、家庭内ＬＡＮ２０に接続されている他の全ての録画再生機器に対して、通信処理部１９を介してプロファイル情報の送信要求を送信する（ステップＳＴ２２）。
【００２９】
バックアップ元の録画再生機器のＣＰＵ１５は、通信処理部１９を介して、家庭内ＬＡＮ２０に接続された他の全ての録画再生機器から、例えば図８（ａ）に示すように、機器ＩＤ４１、機器タイプ４２、および後述するＨＤＤ残量情報４３等からなるプロファイル情報を受信し、ＲＡＭ１７に記憶する（ステップＳＴ２３）。
【００３０】
そして、バックアップ元の録画再生機器のＣＰＵ１５は、ＲＡＭ１７に記憶した図９に示す各プロファイル情報のＨＤＤ残量情報４３（後述する実質的な空き容量に相当）に基づいて、ユーザに指示されたタイトル１をバックアップ可能な録画再生機器をバックアップ先候補として全て抽出する（ステップＳＴ２４）。
【００３１】
このＳＴ２４でバックアップ可能な録画再生機器が存在しないと判定された場合には（ステップＳＴ２５のＮｏ）、バックアップ元の録画再生機器ＣＰＵ１５は、ユーザに対してバックアップできない旨の通知を表示部２１に表示するよう制御し、一連のバックアップ設定処理を終了する（ステップＳＴ２６）。
【００３２】
ＳＴ２４でバックアップ先候補が抽出されると(ステップＳＴ２５のＹｅｓ)、バックアップ元の録画再生機器のＣＰＵ１５は、図６へと進み、通信処理部１９を介して、抽出された全ての録画再生機器に対して、予約時間（あるいはバックアップ可能な時間）の送信要求を送信する（ステップＳＴ２７）。
【００３３】
そして、バックアップ元の録画再生機器のＣＰＵ１５は、候補として抽出した各録画再生機器から予約時間情報（あるいはバックアップ可能時間）を受信すると（ステップＳＴ２８）、自己に設定された録画予約時間と、受信した各録画再生機器の録画予約時間（あるいはバックアップ可能時間）を夫々比較する。この比較の結果、候補機器が動作可能でかつ自己の予約時間と重ならない直近の時間帯をバックアップ実行時間として決定し、対応する録画再生機器をバックアップ先として決定する（ステップＳＴ２９）。
【００３４】
尚、ＳＴ２９に際して、本実施例では、予め設定された所定期間内（例えば１週間以内）に実行時間が存在しない場合には（ステップＳＴ３０のＹｅｓ）、バックアップ元の録画再生機器のＣＰＵ１５は、バックアップ不可能と判断して、ユーザに対してバックアップできない旨を通知するよう制御し、一連のバックアップ設定処理を終了する（ステップＳＴ２６）。
【００３５】
ＳＴ２９にてバックアップ先及びバックアップ実行時間が決定されると、バックアップ元の録画再生機器のＣＰＵ１５は、通信処理部１９を介して、バックアップ先として決定された録画再生機器に対して、バックアップ実行時間を通知する。そして、図１０に示すように、録画タイトル一覧画面における「タイトル１」に対応する箇所にバックアップ設定マーク「Ｂ」３０を表示するよう変更すると、一連のバックアップ設定処理を終了する（ステップＳＴ３１）。
【００３６】
次に、図１１は、バックアップ元以外の録画再生機器におけるバックアップ設定に関する処理を示すフローチャート図である。
【００３７】
家庭内ＬＡＮ２０に接続された録画再生機器のＣＰＵ１５は、通信処理部１９を介してプロファイル送信要求を受信すると（ステップＳＴ４１)、図１２に示すように、内蔵ＨＤＤ１３の使用状況（空き領域の容量３３）を確認する。次に、空き容量３３から、現在設定されている予約情報で使用する容量と規定値の容量３４を差し引き、実質的な空き容量３５を算出する（ステップＳＴ４２）。そして、算出した実質的な空き容量情報をＨＤＤ残量として含んだプロファイル情報を作成し、（プロファイル送信要求を出した）バックアップ元の録画再生機器に対してプロファイル情報を送信し、待機状態となる（ステップＳＴ４３）。
【００３８】
このような待機状態で、通信処理部１９を介して予約時間要求（あるいはバックアップ可能な時間要求）を受信すると（ステップＳＴ４４のＹｅｓ）、受信した録画再生機器のＣＰＵ１５は、ＲＡＭ１７に登録されている予約時間情報（あるいはバックアップ可能な時間情報）を送信し、待機状態となる（ステップＳＴ４５）。
【００３９】
また、このような待機状態で、バックアップ実行時間とバックアップ予約を登録する旨の通知を受信すると（ステップＳＴ４６のＹｅｓ）、受信した録画再生機器のＣＰＵ１５は、受信した実行時間にバックアップ保存を実行するようＲＡＭ１７にバックアップ録画予約を登録し、待機状態となる（ステップＳＴ４７）。
【００４０】
次に、図１３を用いて、上述するバックアップ設定処理により登録されたバックアップ録画予約に従って、録画再生システムにおける録画再生機器間で実行されるバックアップ処理について説明する。図１３は、録画再生システムにおけるバックアップ処理を示すフローチャート図である。
【００４１】
図１３に示すように、バックアップ先あるいはバックアップ元のいずれかの録画再生機器においてバックアップ実行時間になったと判定されると（ステップＳＴ５１のＹｅｓ）、バックアップ元の録画再生機器からバックアップ先の録画再生機器に対してバックアップするタイトル情報が転送され、バックアップ先の録画再生機器のＨＤＤ１３にてバックアップ保存されることとなる（ステップＳＴ５２）。
【００４２】
ここで、バックアップ保存とは、例えば、図１４に示すタイトル４を通常録画している録画再生機器において、図１１に示すタイトル１をバックアップ保存した場合、図１４に示す録画タイトル一覧には表示されず、ユーザには当該録画再生機器にタイトル４がバックアップ保存されていると認識されないような保存形態を指す。即ち、バックアップ保存されている録画再生機器においてユーザが視聴できない状態で保存されているのである。
【００４３】
図１５は、録画再生システムにおけるバックアップ設定処理及びバックアップ処理の一連の流れを説明するためのシーケンス図である。本実施例では、バックアップ元として録画再生機器１を用い、結果としてバックアップ先として録画再生機器３が選択されたケースについて説明する。
【００４４】
バックアップ元の録画再生機器１は、図７に示す録画タイトル一覧画面からバックアップタイトルが選択されると、家庭内ＬＡＮ２０に接続された他の録画再生機器２，３，４に対してプロファイル情報の要求を送信する。録画再生機器２，３，４は、夫々内蔵するＨＤＤ１３の実質的な空き容量を算出し、これを含めたプロファイル情報を録画再生機器１に送信する。
【００４５】
録画再生機器１では、受信した各実質的な空き容量情報に基づき、バックアップ可能な機器の候補として、録画再生機器３，４を抽出し、予約時間（またはバックアップ可能時間）の要求を送信する。録画再生機器３，４は夫々、登録されている予約時間（またはバックアップ可能時間）を録画再生機器１に送信する。
【００４６】
録画再生機器１では、受信した予約時間（またはバックアップ可能時間）と自己の予約時間とから、バックアップ実行時間とバックアップ先（ここでは録画再生機器３）を決定し、その旨を録画再生機器３に対して通知する。この通知を受けて、録画再生機器３では、受信したバックアップ実行時間にバックアップ録画するようバックアップ予約録画を登録し、一連のバックアップ設定処理を終了する。
【００４７】
そして、バックアップ開始時間がくると、図１５においては、バックアップ元である録画再生機器１が開始時間を検知して、バックアップ先である録画再生機器３にバックアップ転送を開始する旨の通知を行い、バックアップタイトルの情報を転送する。録画再生機器３においては、転送されてきたバックアップタイトルを、内蔵ＨＤＤ１３に、ユーザが認識（録画再生機器３で視聴）できない状態にバックアップ録画することにより、バックアップ処理が終了する。
【００４８】
このように、複数台の記録装置がネットワーク接続されたシステムにおいて、１台の記録装置の記録内容をバックアップする際に、他の記録装置の記録状況を考慮して、実質的な空き容量に基づいて、バックアップ先を決定することにより、バックアップ録画による通常記録への影響度を低く抑えることができる。
【００４９】
次に、図１６及び図１７は、バックアップ設定処理の変形例を示すフローチャート図である。図５、図６及び図１１で示すフローチャート図と同様のステップには同番号を付与している。図５、図６及び図１１においては、バックアップ元の録画再生機器は、プロファイル情報の要求と予約時間（またはバックアップ可能な時間）の要求からなる２つの送信要求を行うことにより、バックアップ先と実行時間を決定している。これに対して、変形例では、図８（ｂ）に示すように、予約時間（またはバックアップ可能な時間）を含めたプロファイル情報を作成し送信している（ステップＳＴ４７）。従って、変形例では、送信要求が１回ですむため、より簡易なバックアップ設定処理とすることができる。
【００５０】
このように、バックアップ設定時の記録装置間のやり取りを少なくすることにより、バックアップ設定に要する処理時間を短くすることができ、バックアップ設定処理によるシステムへの負荷を少なくすることができる。
【００５１】
次に、図１８乃至図２０を用いて、例えばユーザによる録画指示等により内蔵ＨＤＤ１３の空き領域が少なくなり、バックアップされているタイトルを保存しておくことができなくなった場合に、保存しているバックアップタイトルを他の録画再生機器に移動するタイトル移動処理について説明する。
【００５２】
図１８は、他の録画再生機器（バックアップ元）に関するバックアップタイトルを保存している録画再生機器（バックアップ先）におけるタイトル移動処理を示すフローチャート図である。尚、図１８において、図５と同様のステップには同ステップ番号を付与し、説明を省略する。又、図１８以降の処理は、図６と同様のため、説明を省略する。
【００５３】
図１８に示すように、バックアップ先である録画再生機器のＣＰＵ１５は、リモコン送受信部１８を介してユーザにより新規録画あるいは新たな録画予約設定が指示されると、内蔵ＨＤＤ１３の残量（空き容量）を確認する（ステップＳＴ６１）。この確認の結果、ＨＤＤ１３の残量が規定値以下となると判断されると（ステップＳＴ６２のＹｅｓ）、ＣＰＵ１５は、通信処理部１９を介して、家庭内ＬＡＮ２０に接続されているバックアップ元以外の他の録画再生機器へプロファイル送信要求を送信する（ステップＳＴ６３）。
【００５４】
バックアップ先の録画再生機器のＣＰＵ１５は、バックアップ元以外の他の録画再生機器からプロファイル情報を受信すると（ステップＳＴ２３）、プロファイル情報のＨＤＤ残量情報４３（実質的な空き容量に相当）に基づいて、移動させたいバックアップタイトルをバックアップ可能な録画再生機器を全て抽出する（ステップＳＴ２４）。
【００５５】
このＳＴ２４により移動可能な録画再生機器が存在しない、あるいは図６に示すＳＴ２９にて移動時間がないと判定された場合（ステップＳＴ２５のＮｏ、図６のＳＴ３０のＹｅｓ）、バックアップ先の録画再生機器は、バックアップ元の録画再生機器に対してバックアップタイトルを消去する旨を通知する（ステップＳＴ６４）。そして、別途ユーザより指示された通常録画を開始することにより、バックアップタイトルに上書き記録して、消去する（ステップＳＴ６５）。
【００５６】
次に、図１９は、バックアップ元とバックアップ先以外の他の録画再生機器におけるタイトル移動処理を示すフローチャート図である。
【００５７】
図１９に示すように、バックアップ元である録画再生機器では、他の録画再生機器からバックアップしているタイトルを消去する旨の通知を受信すると（ステップＳＴ６７）、受信したタイトルの設定情報からバックアップ設定マーク情報を消去する（ステップＳＴ６８）。この結果、図１０に示す録画タイトル一覧の「タイトル１」表示部分からバックアップ設定マーク「Ｂ」を取り去り、図７に示すような録画タイトル一覧へと変更し、ユーザによって例えば「タイトル１」がバックアップされていない旨が認識できるようにする。
【００５８】
図２０は、録画再生システムにおけるタイトル移動処理の一連の流れを説明するためのシーケンス図である。本実施例では、バックアップ元として録画再生機器１を用い、この録画再生機器１のバックアップタイトルを保存している録画再生機器２がバックアップ先となり、タイトル移動処理の結果、新たなバックアップ先として録画再生機器４が選択されたケースについて説明する。
【００５９】
バックアップ先の録画再生機器２は、内蔵ＨＤＤ１３の残量（空き容量）が規定値以下であると判断すると、家庭内ＬＡＮ２０に接続されているバックアップ元以外の他の録画再生機器３，４へプロファイル送信要求を送信する。録画再生機器３，４は、夫々内蔵するＨＤＤ１３の実質的な空き容量を算出し、これを含むプロファイル情報を録画再生機器１に送信する。
【００６０】
録画再生機器２では、受信した各実質的な空き容量に基づき、バックアップタイトルを移動可能な機器として録画再生機器３，４を抽出し、予約時間（またはバックアップ可能時間）の要求を送信する。録画再生機器３，４は夫々、登録されている予約時間（またはバックアップ可能時間）を録画再生機器２に送信する。
【００６１】
録画再生機器２では、受信した予約時間（またはバックアップ可能時間）と自己の予約時間とから、バックアップ実行時間と新たなバックアップ先（ここでは録画再生機器４）を決定し、録画再生機器４に対して、バックアップ実行時間を通知する。そして、録画再生機器４では、受信したバックアップ実行時間にバックアップ録画するようバックアップ予約録画を登録し、一連のバックアップ設定処理を終了する。
【００６２】
そして、バックアップ開始時間がくると、図２０においては、バックアップ先である録画再生機器２が開始時間を検知して、新たなバックアップ先である録画再生機器４にバックアップタイトルを転送する旨を通知し、バックアップタイトルの情報を転送する。録画再生機器４においては、転送されてきたバックアップタイトルを内蔵HDD１３に、ユーザが認識（録画再生機器４で視聴）できない状態にバックアップ録画することにより、バックアップ処理が終了する。
【００６３】
また、録画再生機器２にて、移動可能な録画再生機器が存在しないと判定された場合には、録画再生機器２からバックアップ元の録画再生機器１に対してバックアップタイトルを消去する旨を通知し、別途実行される通常録画によりバックアップタイトルを上書き記録（消去）する。録画再生機器１では、受信したタイトルの設定情報からバックアップマーク情報を消去する。
【００６４】
このように、例えばユーザによる録画指示等により内蔵ＨＤＤ１３の空き領域が少なくなり、バックアップされているタイトルを保存しておくことができなくなった場合に、他の記録装置の記録状況を考慮して、実質的な空き容量に基づいて、新たなバックアップ先を決定することにより、各記録装置におけるバックアップ録画による通常記録への影響度を低く抑えることができるばかりでなく、バックアップタイトルを単独記録装置の記録状況に応じて直に消去してしまうのではなく、システム全体の記録状況を考慮して、適切に保持／消去することができ、システムの安定性を高く保つこととなる。
【００６５】
次に、図２１乃至２５を用いて、ある録画再生機器の内蔵ＨＤＤ１３がクラッシュし、ＨＤＤ１３の記録内容が全く読み出せない状態の場合に、家庭内ＬＡＮ２０で接続された他の録画再生機器を用いて、クラッシュしたＨＤＤ１３のバックアップタイトルを復元するタイトル復元処理について説明する。図２１は、録画再生システムにおけるタイトル復元処理を示すフローチャート図である。
【００６６】
図２１に示すように、ユーザにより、復元したい機器情報及びその復元指示が入力されると（ステップＳＴ７１）、入力指示された録画再生機器は、家庭内ＬＡＮ２０に接続されている他の全ての録画再生機器と通信を行い、各録画再生機器に関する識別情報やＨＤＤ残量等を含むプロファイル情報を取得する（ステップＳＴ７２）。
【００６７】
復元指示された録画再生機器は、プロファイル情報を応答してきた録画再生機器から、復元したい録画再生機器に関するバックアップタイトルを取得し（ステップＳＴ７３）、転送されたバックアップタイトルを、ユーザに認識可能な通常タイトルに録画保存する（ステップＳＴ７４）。また、復元指示された録画再生機器の内蔵ＨＤＤ１３に、復元したい録画再生機器に関するバックアップタイトルが保存されている場合には、このバックアップタイトルをユーザが視聴可能な通常タイトルに変更する（ステップＳＴ７５）。
【００６８】
次に、図２１に示すタイトル復元処理のうち、図２２は、ＨＤＤ１３がクラッシュした録画再生機器とは別の機器で、復元指示された録画再生機器におけるタイトル復元処理を示すフローチャート図であり、図２３は、それら以外の録画再生機器におけるタイトル復元処理を示すフローチャート図である。
【００６９】
図２２に示すように、ユーザにより、図示せぬメニュー画面から復元メニューが選択され、復元機器の情報が入力されると（ステップＳＴ８１）、復元指示された録画再生機器のＣＰＵ１５は、家庭内ＬＡＮ２０に接続されている他の全ての録画再生機器に対して、プロファイル情報の送信要求を送信する（ステップＳＴ８２）。
【００７０】
復元指示された録画再生機器は、各録画再生機器からのプロファイル情報を受信すると（ステップＳＴ８３）、応答してきた録画再生機器に対して、ユーザにより選択された復元したい機器に関するタイトル要求を送信する（ステップＳＴ８４）。そして、復元したい録画再生機器に関するタイトルをバックアップしている録画再生機器からのバックアップタイトルの転送を受け、この転送されたタイトルをユーザに認識可能な通常タイトルとして録画保存する（ステップＳＴ８５）。そして、この転送が無事完了すると、正常終了を示す応答情報を各録画再生機器に送信して、一連のタイトル復元処理を終了する（ステップＳＴ８６）。
【００７１】
また、復元指示された録画再生機器の内蔵ＨＤＤ１３に、復元したい録画再生機器に関するバックアップタイトルが保存されている場合には（ステップＳＴ８７のＹｅｓ）、このバックアップタイトルをユーザに認識可能な通常タイトルに変更する（ステップＳＴ８８）。
【００７２】
次に、図２３に示すように、録画再生機器は、プロファイル送信要求を受信すると、プロファイル情報を作成し、要求してきた録画再生機器に対して送信する（ステップＳＴ９１）。その後、復元機器の識別情報及びタイトル送信要求を受信すると（ステップＳＴ９２のＹｅｓ）、内蔵ＨＤＤ１３にバックアップ保存されている復元機器に関するバックアップタイトルを抽出し、要求してきた録画再生機器に対して送信（転送）する（ステップＳＴ９３）。そして、正常終了の応答信号を受信すると、転送したバックアップタイトルを消去（あるいは消去可能な状態に）して、一連のタイトル復元処理を終了する（ステップＳＴ９３）。
【００７３】
図２５は、録画再生システムにおけるタイトル復元処理の一連の流れを説明するためのシーケンス図である。本実施例では、録画再生機器３に内蔵されたＨＤＤ１３がクラッシュしたこととし、このクラッシュした録画再生機器３に関するバックアップタイトルを、録画再生機器１から復元処理するケースを説明する。
【００７４】
録画再生機器１は、メニュー画面から復元メニューが選択され、復元機器として録画再生機器３の情報が入力されると、録画再生機器３を除く家庭内ＬＡＮ２０に接続された他の全ての録画再生機器２、４に対して、プロファイル情報の送信要求を送信する。録画再生機器２，４は、夫々内蔵するＨＤＤ１３の実質的な空き容量を算出し、プロファイル情報を録画再生機器１に送信する。
【００７５】
録画再生機器１は、プロファイル情報を送信してきた録画再生機器２に対して、録画再生機器３の識別情報と関連するバックアップタイトルの転送を指示する。録画再生機器２では、内蔵するＨＤＤ１３に録画再生機器３に関連したバックアップタイトルが保存されているか確認し、あれば抽出して録画再生機器１に対して転送し、なければ無いことを示す応答情報を送信する。
【００７６】
録画再生機器１は、録画再生機器３に関するバックアップタイトルが転送される場合には、この転送されたタイトルをユーザに認識可能な通常タイトルとして録画保存し、転送が無事完了すると、正常終了を示す応答情報を録画再生機器２に対して送信する。録画再生機器２は、転送が正常に終了すると、転送した録画再生機器３に関するバックアップタイトルをＨＤＤ１３から消去する。
【００７７】
次に、録画再生機器１は、プロファイル情報を送信してきた録画再生機器４に対して、録画再生機器３の識別情報と関連するバックアップタイトルの転送を指示する。録画再生機器４では、内蔵するＨＤＤ１３に録画再生機器３に関連したバックアップタイトルが保存されているか確認し、あれば抽出して録画再生機器１に対して転送し、なければ無いことを示す応答情報を送信する。
【００７８】
録画再生機器１は、録画再生機器３に関するバックアップタイトルが転送される場合には、この転送されたタイトルをユーザに認識可能な通常タイトルとして録画保存し、転送が無事完了すると、正常終了を示す応答情報を録画再生機器４に対して送信する。録画再生機器４は、転送が正常に終了すると、転送した録画再生機器３に関するバックアップタイトルをＨＤＤ１３から消去する。
【００７９】
また、録画再生機器１の内蔵ＨＤＤ１３に、録画再生機器３に関するバックアップタイトルが保存されている場合には、このバックアップタイトルをユーザに認識可能な通常タイトルに変更する。
【００８０】
この結果、例えば、タイトル１，２，３が通常録画され、図１１に示す録画タイトル一覧画面を表示する録画再生機器１において、タイトル４が通常録画され、図１４に示す録画タイトル一覧画面を表示する録画再生機器３に関する復元処理を行った結果、録画再生機器１にてタイトル４が通常タイトルとして記録され、図２４に示す録画タイトル一覧画面が表示されることとなる。即ち、録画再生機器１において、タイトル１，２，３，４が録画されていることが、ユーザにより認識可能な状態となる。
【００８１】
このように、ある録画再生機器の内蔵ＨＤＤ１３がクラッシュし、ＨＤＤ１３の記録内容が全く読み出せない状態の場合に、家庭内ＬＡＮ２０で接続された他の録画再生機器を用いて、クラッシュしたＨＤＤ１３のバックアップタイトルを復元することができるため、単独記録装置のみの記録保存に依存することなく、システム全体の記録に対する安定性を高く保つことができる。
【図面の簡単な説明】
【００８２】
【図１】本発明に係る記録装置からなる録画再生システムの全体構成の一例を示すブロック図である。
【図２】録画再生システムを構成する各記録装置としての録画再生機器１、２、３、４の主要構成の一実施の形態を示すブロック図。
【図３】録画再生機器１〜４におけるメモリの規定値を設定する処理を示すフローチャート図。
【図４】録画再生システムにおけるバックアップ設定処理を示すフローチャート図。
【図５】バックアップ元となる録画再生機器におけるバックアップ設定処理を示すフローチャート図。
【図６】バックアップ元となる録画再生機器におけるバックアップ設定処理を示すフローチャート図。
【図７】バックアップ元となる録画再生機器におけるバックアップタイトルの選択画面を示す図。
【図８】プロファイル情報を説明するための概念図。
【図９】バックアップ元の録画再生機器にて取得した各録画再生機器のプロファイル情報の一覧を示す概念図。
【図１０】バックアップ元の録画再生機器におけるバックアップ設定完了後のタイトル選択画面を示す図。
【図１１】バックアップ元以外の他の録画再生機器におけるバックアップ設定処理を示すフローチャート図。
【図１２】他の録画再生機器に内蔵されたＨＤＤ内のメモリ使用状況について説明するための概念図。
【図１３】録画再生システムにおけるバックアップ処理を示すフローチャート図。
【図１４】バックアップ保存を説明するための録画タイトル一覧画面を示す図。
【図１５】録画再生システムにおけるバックアップ設定処理及びバックアップ処理の一連の流れを説明するためのシーケンス図。
【図１６】バックアップ元の録画再生機器におけるバックアップ設定処理の他の実施例を示すフローチャート図。
【図１７】バックアップ元の録画再生機器におけるバックアップ設定処理の他の実施例を示すフローチャート図。
【図１８】他の録画再生機器に関するバックアップタイトルを保存している録画再生機器におけるタイトル移動処理を示すフローチャート図。
【図１９】バックアップ元とバックアップ先以外の他の録画再生機器におけるタイトル移動処理を示すフローチャート図。
【図２０】録画再生システムにおけるタイトル移動処理の一連の流れを説明するためのシーケンス図。
【図２１】録画再生システムにおけるタイトル復元処理を示すフローチャート図。
【図２２】ＨＤＤがクラッシュした録画再生機器とは別の録画再生機器におけるタイトル復元処理を示すフローチャート図。
【図２３】他の録画再生機器におけるタイトル復元処理を示すフローチャート図。
【図２４】復元処理した録画再生機器におけるタイトル選択画面を示す図。
【図２５】録画再生システムにおけるタイトル復元処理の一連の流れを説明するためのシーケンス図。
【符号の説明】
【００８３】
１、２、３、４    録画再生機器
１１    チューナ
１３    ハードディスク部（ＨＤＤ）
１５    ＣＰＵ
１９    通信処理部
２０    家庭内ＬＡＮ
３０    バックアップ設定マーク
【図１】
2006085622.tif 000003
【図２】
2006085622.tif 000004
【図３】
2006085622.tif 000005
【図４】
2006085622.tif 000006
【図５】
2006085622.tif 000007
【図６】
2006085622.tif 000008
【図７】
2006085622.tif 000009
【図８】
2006085622.tif 000010
【図９】
2006085622.tif 000011
【図１０】
2006085622.tif 000012
【図１１】
2006085622.tif 000013
【図１２】
2006085622.tif 000014
【図１３】
2006085622.tif 000015
【図１４】
2006085622.tif 000016
【図１５】
2006085622.tif 000017
【図１６】
2006085622.tif 000018
【図１７】
2006085622.tif 000019
【図１８】
2006085622.tif 000020
【図１９】
2006085622.tif 000021
【図２０】
2006085622.tif 000022
【図２１】
2006085622.tif 000023
【図２２】
2006085622.tif 000024
【図２３】
2006085622.tif 000025
【図２４】
2006085622.tif 000026
【図２５】
2006085622.tif 000027